(57)【要約】【課題】クロッチ部に装着する吸水パッドの周縁部から遺漏の生じないようにした女性用ボトム下着を提供することである【解決手段】吸水パッド５０は、吸水シート５１の表面に透水布５２を重ね合せ、その両側部と両側端面及び裏面を連続した防水布５３で被覆したものより成り、前記防水布５３の両側部５３ａ、５３ｂは、重ね合された透水布５２と吸水シート５１の表面から縫着され、その縫目５４ａ、５４ｂを被うように折り返されて被覆帯５３ｃ、５３ｄを形成し、さらに透水布５２と吸水シート５１の両側端面を被って裏面に続いている。この吸水パッド５０を女性用ボトム下着のクロッチ部に装着する。【選択図】図５
0003156150.tif 000002
【実用新案登録請求の範囲】
【請求項１】
前身頃と後身頃によって形成される筒状体の下部にクロッチ部を設け、このクロッチ部に吸水パッドを装着したボトム下着において、
前記吸水パッドは、吸水シートの表面にそれとほぼ同形の耐水性透水布を重ね合せ、その両側部と両側端面及び裏面を連続した防水布で被覆し、前記防水布の両側部を前記透水布と共に吸水シートの両側部に縫着し、縫着した縫目を被うように折り返してこの縫目を被う被覆帯を、重ね合された透水布と吸水シートの両側部のほぼ全長に沿って形成したことを特徴とする女性用ボトム下着。
【請求項２】
前記吸水パッドは、前記吸水シートにほぼ同形の透水布を重ね合せ、この透水布の表面にほぼ同じ長さの防水布を巾方向に所定巾だけ弛ませて載置し、その両側部を長さ方向に透水布と吸水シートに縫着して作成された中空筒体を、その一端から他端方向に内反転させて形成したことを特徴とする請求項１に記載の女性用ボトム下着。
【請求項３】
前記吸水パッドの両端部を前記クロッチ部に固着して吸水パッドの中間部をクロッチ部から浮かせたことを特徴とする請求項１または２に記載の女性用ボトム下着。
【請求項４】
前記吸水パッドは前記クロッチ部のほぼ全長にわたって延び、その両側縁はクロッチ部の側縁より内側に位置するようにしたことを特徴とする請求項１〜３のいずれかに記載の女性用ボトム下着。
【請求項５】
前記吸水パッドの両端部をそれぞれ挟持するように防水テープが固着され、これらの防水テープがクロッチ部に固着されたことを特徴とする請求項１〜４のいずれかに記載の女性用ボトム下着。
【考案の詳細な説明】
【技術分野】
【０００１】
この考案は、ショーツやパンツ、スパッツなどの女性用ボトム下着に関する。
【背景技術】
【０００２】
従来からこの種の女性用ボトム下着には、クロッチ部に防水布や吸水性シートまたはパッドが装着されている。特に吸水性シートやパッドの場合、吸収した汚水がその裏面及び周縁部から遺漏するのを防止するため、シートやパッドの裏面及び周縁部に防水布を縫い付けたり、接着するなどの方策が採られている。
【０００３】
防水布を縫着する場合、縫目から水分が遺漏するのを避けられず、一方接着だけでは吸水シートと防水布との固着強度が充分ではない。そこで縫着と接着を併用することが行なわれているが、手間がかかりコストを高める原因となる。
【０００４】
また、吸水シートの裏面と周縁部を一枚の防水布で被覆しようとすれば、吸水シートよりもサイズの大きい防水布を用い、まず防水布を吸水シートの裏面に当てがい、余分のマージンを吸水シートの表側に折り返して縫着しているが、吸水シートは柔軟でかつ曲線形状をしているため折り返して縫着するのに手間がかかり作業性が良くない。そこで吸水シートとほぼ同形の防水布を先に吸水シートに縫着した後、さらに防水テープをその周縁に縫着したり接着する方法も採られているがこれも部材が増え手間もかかる問題がある。
【考案の概要】
【考案が解決しようとする課題】
【０００５】
そこで、この考案の課題は、縫製だけで作業性よく吸水シートまたはパッドに防水布を固着可能で、防水テープ等を必要とせず吸水シートまたはパッドの周縁部の遺漏を防止することができるようにすることである。
【課題を解決するための手段】
【０００６】
上記の課題を解決するため、この考案は、前身頃と後身頃によって形成された筒状体の下部にクロッチ部を設け、このクロッチ部に吸水パッドを装着したボトム下着において、前記吸水パッドは、吸水シートの表面にそれとほぼ同形の耐水性透水布を重ね合せ、その両側部と両側端面及び裏面を連続した防水布で被覆し、前記防水布の両側部を前記透水布と共に吸水シートの両側部に縫着し、縫着した縫目を被うように折り返してこの縫目を被う被覆帯を、重ね合された透水布と吸水シートの両側部のほぼ全長に沿って形成したのである。
【０００７】
上記吸水パッドは、吸水シートにほぼ同形の透水布を重ね合せ、この透水布の表面にほぼ同じ長さの防水布を巾方向に所定巾だけ弛ませて載置し、その両側部の長さ方向に透水布と吸水シートに縫着して作成された筒体を、その一端から反転させて形成したのである。この吸水パッドはクロッチ部に浮かせて取り付けるのがよい。また、そのサイズは、クロッチ部の全長とほぼ等しく、巾をやや狭くしておくのがよい。さらに、吸水パッドの両端を挟持するように防水テープを固着しておくのがよい。
【考案の効果】
【０００８】
この考案によれば、一連の防水布自体でそれを吸水シートに固着するための縫目を被うようにしたので、縫目から遺漏を防止することができ、かつ防水テープ等の他の部材を用いることなく簡単な縫製だけで吸水パッドの周縁部の防水を可能にしたので作業性よくコスト削減に役立つ。
【図面の簡単な説明】
【０００９】
【図１】この考案の実施形態であるショーツを示す正面図
【図２】ショーツの側面図
【図３】クロッチ部を示す裏面図
【図４】クロッチ部の縦断面図
【図５】吸水パッドの拡大横断面図
【図６】吸水パッドの作成方法を示す横断面図
【図７】吸水パッドの作成方法を示す平面図
【図８】吸水パッドの作成方法を示す部分斜視図
【図９】吸水パッドの作成方法を示す縦断面図
【図１０】完成した吸水パッドの平面図
【考案を実施するための形態】
【００１０】
以下、この考案の実施形態を添付図面に基づいて説明する。図１及び図２に示すように、ショーツ１は、人体の腹部を被う前身頃１０と、腰部及びヒップ部を被う後身頃２０が縫目１１、１１によって接続され、筒状に形成されており、その下部には、人体の股部に対応するクロッチ部３０が前記前身頃１０及び後身頃２０に連続して設けられ、このクロッチ部３０の両側には、両脚を挿入する脚孔４０、４０が設けられている。
【００１１】
前記前身頃１０及び後身頃２０によって形成された筒状体の上端開口周縁には、パワーの大きい弾性帯やレースが全周に縫着されウエストバンド１２になっており、脚孔４０、４０の全周にも弾性帯やレースの飾り縁４１が縫着されている。
【００１２】
前記ショーツ１の生地は、スパンデックス糸（商標）等を用いた伸縮性の良好な編成地が好ましい。またショーツ１は図示のように裁断された生地を縫着したものでもよいが、前身頃、後身頃、クロッチ部の三片に分けて立体裁断された生地を縫着したものの他、丸編機を用いて形成した一体の筒状地から形成したものでもよい。後者の場合は、前身頃と後身頃を接合する縫目１１、１１がなくなる。
【００１３】
前記クロッチ部３０の内面には、吸水パッド５０が取り付けられている。この取り付け方法は、図２〜４に明らかなように、クロッチ部３０のほぼ全長にわたって延び、クロッチ部３０から所定の間隙Ｄをもって浮き上るように、吸水パッド５０の両端のみクロッチ部３０に縫着されている。なお、吸水パッド５０はクロッチ部３０とほぼ相似形で、その巾は、図３に示されるように、クロッチ部３０の巾よりも片側で３ｍｍ〜１５ｍｍ程度小さく（クロッチ部３０の側縁よりも内側になるように）しておくのが好ましい。また間隙Ｄは、最大２ｍｍ〜１５ｍｍ（両端部では０になる）程度がよい。
【００１４】
前記吸水パッド５０は、図５に示すように、綿や不織布等から成る吸水シート５１の表面に透水布５２を重ね合せ、その両側部と両側端面及び吸水シート５１の裏面を連続する防水布５３で被覆したものである。図示のように、防水布５３の両側部５３ａ、５３ｂは、重ね合された透水布５２と吸水シート５１の両側部に縫い目５４ａ、５４ｂで固着され、さらに両側縁方向（外側方向）に折り返されて縫い目５４ａ、５４ｂを被覆する被覆帯５３ｃ、５３ｄが形成され、続いて透水布５２と吸水シート５１の両側端面を被い、吸水シート５１の裏面を被っている。従って吸水シート５１が吸収した汚水が縫い目５４ａ、５４ｂから遺漏するのを防止することができるのは勿論、吸水シート５１の両側端面及び裏面から遺漏するのを防止することができる。
【００１５】
前記透水布５２は、吸水シート５１が水分を吸着した際に剥離散逸するのを防止するために設けられたものであって、耐水性のある編織布や多孔性合成樹脂フィルムなどが用いられ、防水布５３は耐水性のある編織布に合成樹脂コーティングを施したものなどが好適である。勿論これらの吸水シート５１、透水布５２、防水布５３は柔軟性があるものを用いる。
【００１６】
上述のように縫目５４ａ、５４ｂが防水布５３によって被われるように縫着する方法を図６乃至図９に基づいて説明する。まず図６〜８に示すように、吸水シート５１と透水布５２（両者はほぼ同形とする）を重ね合せ、透水布５２の表面に防水布５３を弛ませた状態で載せる。この弛みは防水布５３の両側部を折り返して（図５参照）透水布５２と吸水シート５１の両側端面を被うのに充分な巾の余裕を持たせるためである。そして防水布５３の両側部を、重ね合された透水布５２及び吸水シート５１に縫目５４ａ、５４ｂで固着する。縫目５４ａ、５４ｂは透水布５２及び吸水シート５１の両側縁から所定巾、例えば３ｍｍ〜７ｍｍ程度内側に位置するのが好ましい。このように、防水布５３の側部を外面から緩いカーブで縫着するので作業は容易である。なお図６に示すように、防水布５３及び透水布５２の両端５３ｅ、５３ｆを吸水シート５１の両端５１ａ、５１ｂよりわずかに長く延ばしておくのがよい。
【００１７】
上述のようにして防水布５３を縫着すると、図８に示すような中空筒体が出来上る。この筒体を図９に示すように一端部から筒体の中へ押し込み他端部方向に内反転させると、吸水シート５１の裏面に防水布５３が対向し、防水布５３の両側部５３ａ、５３ｂは折り返されて図５に示すような被覆帯５３ｃ、５３ｄが形成される。出来上った吸水パッド５０の形状は、両端が外側に膨らむ円弧状で両側が内側に膨らむ弓形をなし、一端から他端に向って巾広になっている。
【００１８】
図１０に示すように、上述のようにして出来上った吸水パッド５０の両端を挟持するように取付け用防水テープ５５ａ、５５ｂを縫着しておくのがよい。この防水テープ５５ａ、５５ｂを図３に示すようにジグザグ縫目でクロッチ部３０に固着すると、吸水パッド５０は強固にクロッチ部３０に取り付けられる。このとき、吸水パッド５０はクロッチ部３０から浮き上るように取り付けられているので、ショーツ１を着用したとき人体の股部に押圧されぴったりと密着する。
【００１９】
なお、図３及び図１０に示すように、適当なステッチ５６ａ、５６ｂによって、透水布５２と吸水シート５１を縫い合せ、吸水シート５１の移動や過度の膨潤を防止することができる。
【００２０】
この考案は、ショーツに限らずスパッツ等の他のボトム下着に適用することができる。
【符号の説明】
【００２１】
１  ショーツ
１０  前身頃
１１  縫目
１２  ウエストバンド
２０  後身頃
３０  クロッチ部
４０  脚孔
４１  飾り縁
５０  吸水パッド
５１  吸水シート
５１ａ、５１ｂ  吸水シートの両端
５２  透水布
５３  防水布
５３ａ、５３ｂ  防水布の両側部
５３ｃ、５３ｄ  被覆帯
５３ｅ、５３ｆ  防水布の両端
５４ａ、５４ｂ  縫目
５５ａ、５５ｂ  防水テープ
５６ａ、５６ｂ  ステッチ
【図１】
0003156150.tif 000003
【図２】
0003156150.tif 000004
【図３】
0003156150.tif 000005
【図４】
0003156150.tif 000006
【図５】
0003156150.tif 000007
【図６】
0003156150.tif 000008
【図７】
0003156150.tif 000009
【図８】
0003156150.tif 000010
【図９】
0003156150.tif 000011
【図１０】
0003156150.tif 000012